(57)【要約】      （修正有）【課題】簡単な機構でありながら安全性に優れたカッターナイフを提供する。【解決手段】カッター刃２と、カッター刃が進退可能に挿入されるスライド溝３０を有するホルダー３と、カッター刃とともにスライド溝に挿入されるスライダー４とが備えられたカッターナイフ１において、ホルダーには、スライド溝内のカッター刃の刃部２２の一部をホルダー外に露呈させてカッター刃の使用を可能とする窓部５と、この窓部を開閉するためのカバー部６が設けられた。【選択図】図２
2007097802.tif 000002
【特許請求の範囲】
【請求項１】
カッター刃と、カッター刃が進退可能に挿入されるスライド溝を有するホルダーと、カッター刃とともにスライド溝に挿入されるスライダーとが備えられたカッターナイフにおいて、ホルダーには、スライド溝内のカッター刃の刃部の一部をホルダー外に露呈させて、カッター刃の使用を可能とする窓部が設けられていることを特徴とするカッターナイフ。
【請求項２】
ホルダーには、窓部を開閉するためのカバー部が設けられていることを特徴とする請求項１に記載のカッターナイフ。
【発明の詳細な説明】
【技術分野】
【０００１】
本発明は、カッター刃をホルダーに対して出退可能に設けたカッターナイフに関する。
【背景技術】
【０００２】
一般にこの種のカッターナイフは、図５にも示すように、カッター刃Ａと、カッター刃Ａが進退可能に挿入されるスライド溝を有するホルダーＢと、カッター刃Ａとともにスライド溝に挿入されるスライダーＣとが備えられ、カッター刃Ａ及びこのカッター刃Ａを出し入れ操作するためのスライダーＣを連結した状態でホルダーＢのスライド溝内に挿入し、スライダーＣを介してカッター刃ＡをホルダーＢから出し入れするようにしている。
【０００３】
またこのカッターナイフには、使用時、カッター刃ＡがホルダーＢの中へ不用意に押し込まれたり、ホルダーＢから引き出されたりしないように、スライダーＣのロック機構（図示せず）も設けられている。（特許文献１参照）
ところで、以上のカッターナイフにあっては、使用時には、ホルダーＢの先端外方にカッター刃Ａを順次引き出すのであるが、この時、カッター刃Ａの先端の尖った鋭利な部分がホルダーＢの先端外方に引き出されることから、カッター刃Ａの先端の尖った鋭利な部分に触れて、不用意に身体を傷つける虞があり、特に子供などが使用した際に危険が伴うものである。
【特許文献１】実公昭６１−３５１７７号
【発明の開示】
【発明が解決しようとする課題】
【０００４】
本発明は以上の実情に鑑みて開発したものであって、目的とするところは、簡単な機構で安全性に優れたカッターナイフを提供することにある。
【課題を解決するための手段】
【０００５】
前記した目的を達成するために、請求項１に記載の発明は、カッター刃と、カッター刃が進退可能に挿入されるスライド溝を有するホルダーと、カッター刃とともにスライド溝に挿入されるスライダーとが備えられたカッターナイフにおいて、ホルダーには、スライド溝内のカッター刃の刃部の一部をホルダー外に露呈させて、カッター刃の使用を可能とする窓部が設けられていることを特徴とするものである。
【０００６】
請求項２に記載の発明は、請求項１に記載のカッターナイフにおいて、ホルダーには、窓部を開閉するためのカバー部が設けられていることを特徴とするものである。
【発明の効果】
【０００７】
請求項１に記載の発明によれば、カッター刃の刃先をホルダー内に収めた状態でも、窓部を介してカッター刃を使用することが出来るので、カッター刃の先端の尖った鋭利な部分で不用意に身体を傷つけるなどの虞を解消することが出来、特に子供などが用いるのに適したものとなる。
【０００８】
請求項２に記載の発明によれば、請求項１に記載の発明の効果に加え、カバー部により窓部が開閉されるので、不使用時には、窓部をカバー部により閉じておくことで、カッター刃が外部に露呈することなく、より一層、カッターナイフの安全性を確保することが出来る。
【発明を実施するための最良の形態】
【０００９】
以下、本発明の実施形態について図面を参照しながら説明する。
【００１０】
図１は本発明にかかるカッターナイフの一実施形態の斜視図、図２は本発明にかかるカッターナイフの分解斜視図、図３は本発明にかかるカッターナイフの使用状態の一例を示す斜視図、図４は本発明にかかるカッターナイフの使用状態の別の例を示す斜視図であって、図において符号１で示すカッターナイフは、基本的には、細長いプレート状のカッター刃２と、このカッター刃２が出退可能に挿入されるスライド溝３０を有したホルダー３と、カッター刃３とともにスライド溝３０に挿入されるスライダー４とが備えられている。
【００１１】
カッター刃２は、摩耗などした刃先部分を順次刻線２１に沿って折り取ることが可能な既知構造のものである。
【００１２】
ホルダー３は、金属板の折り曲げ加工により断面略Ｃ字状に形成されて、その内部にスライド溝３０が備えられたものであり、一対のフランジ部３１a・３１bの一方３１aには、複数の係合凹部３２がカッター刃１の出退方向に一定のピッチで形成されている。
【００１３】
スライダー４は、ホルダー２のスライド溝２１に挿入されて、このスライド溝３０の底壁３０ａとフランジ部２２a,２２bとの間に介装されるスライダー本体４０と、スライダー本体４０から突出する操作部４１とから構成され、この操作部４１には、ばね部材４２が組み付けられて、このばね部材４２が係合凹部３２に弾力的に係脱するようになっている。
【００１４】
またスライダー本体４０の一端部には突起４３が設けられ、この突起４３をカッター刃２の一端に形成された連結孔２３に挿入することにより、スライド溝３０内でスライダー４とカッター刃２とが連結されるようにしている。
【００１５】
以上の構成から成るカッターナイフ１において、ホルダー３の先端部には、スライド溝３０内のカッター刃２の刃部２２の一部をホルダー３外に露呈させてカッター刃２の使用を可能とするための窓部５が設けられている。
【００１６】
またホルダー３には、窓部５を開閉するためのカバー部６が設けられており、このカバー部６は、ホルダー３に対して窓部５を開く位置（図４参照）と、窓部５を閉じる位置（図１参照）とにスライド可能に設けられている。
【００１７】
尚、図中７はホルダー３の長さ方向一端部に組み付けるクリップ部材である。
【００１８】
次に以上の構成から成るカッターナイフ１の使用例を説明する。
【００１９】
まずカッターナイフ１の不使用時は、スライダー４の操作により、カッター刃２をホルダー２のスライド溝２１内に収容すると共に、カバー部６をホルダー３に対して窓部５を閉じる位置（図１参照）までスライドさせて、窓部５をカバー部６で閉鎖する。
【００２０】
これにより、カッター刃２は、ホルダー２内に確実に収められて外部に露呈することがなく、従って、カッターナイフ１の不使用時の安全性が確保される。
【００２１】
次にカッター刃２の先端側をホルダー２から引き出して用いる通常の使用時には、図１に示す状態から、スライダー４の操作により、カッター刃２の先端側をホルダー２のスライド溝２１から外部に所定長さ引き出す（図３参照）。
【００２２】
これにより、従来のカッターナイフと同様の使用が行なえる。
【００２３】
一方、例えば鉛筆などを削る場合のように、カッター刃２の先端の尖った鋭利な部分を必要としない時には、図１に示す状態から、カバー部６をホルダー３に対して窓部５を開く位置までスライドさせて、窓部５を開放し、図４に示すように、カッター刃２の刃部２２の一部をホルダー３の窓部５から外部に露呈させる。
【００２４】
これにより、カッター刃２の先端の尖った鋭利な部分がホルダー３のスライド溝３０内に収容された状態で、ホルダー３の窓部５から露呈するカッター刃２の刃部２２により、鉛筆などの削る作業が容易に行なえるのであって、しかもカッター刃２の先端の尖った鋭利な部分は、ホルダー３のスライド溝３０内に確実に収められて外部に露呈することがないので、作業時の安全性が確保される。
【図面の簡単な説明】
【００２５】
【図１】本発明にかかるカッターナイフの一実施形態を示す斜視図。
【図２】同、分解斜視図。
【図３】本発明にかかるカッターナイフの使用状態の一例を示す斜視図。
【図４】本発明にかかるカッターナイフの使用状態の他の例を示す斜視図。
【図５】従来のカッターナイフの一例を示す斜視図。
【符号の説明】
【００２６】
１      カッターナイフ
２      カッター刃
２２    刃部
３      ホルダー
３０    スライド溝
４      スライダー
５      窓部
６      カバー部
【図１】
2007097802.tif 000003
【図２】
2007097802.tif 000004
【図３】
2007097802.tif 000005
【図４】
2007097802.tif 000006
【図５】
2007097802.tif 000007